(57)【要約】      （修正有）【課題】補助光源による主光源の回路基板の昇温を抑え、主光源の回路基板の大型化を防止できるＬＥＤ照明器具を提供する。【解決手段】電源部２６を収容する器具本体２０には、第１回路基板２３に第１ＬＥＤ２４が実装されている第１光源部２２と、第１回路基板２３に電気的に接続された第２回路基板に、第２ＬＥＤと第３ＬＥＤが実装されている第２光源部３１が設けられている。第１回路基板２３と第２回路基板を別個に設けることにより、第２光源部３１の第２ＬＥＤおよび第３ＬＥＤを点灯させても、第１光源部２２の第１回路基板２３に熱が伝達されないようにすることができ、第１光源部２２および第２光源部３１が互いに排他的に点灯可能としたので、第１光源部２２を主光源とし、第２光源部３１を補助光源とすることができる。また、第２ＬＥＤと第３ＬＥＤとは異なる種類であるので、組み合わせにより、種々の配光制御をすることができる。【選択図】図２
2015135756.tif 000002
【特許請求の範囲】
【請求項１】
器具本体と、
前記器具本体に収容された電源部と、
前記器具本体に収容され、第１回路基板に第１ＬＥＤが実装された第１光源部と、
前記器具本体に収容され、前記第１回路基板に対して電気的に接続された第２回路基板に第２ＬＥＤおよび第３ＬＥＤが実装された第２光源部と、を備え、
前記第２ＬＥＤおよび前記第３ＬＥＤはそれぞれ異なる種類であるとともに、前記第１光源部および前記第２光源部が互いに排他的に点灯可能であるＬＥＤ照明器具。
【請求項２】
請求項１に記載のＬＥＤ照明器具において、
前記第１光源部は、前記第１ＬＥＤを点灯させるための第１回路を有し、
前記第２光源部は、前記第２ＬＥＤを点灯させるための第２回路および前記第３ＬＥＤを点灯させるための第３回路を有し、
前記第２回路のドライブ電流および前記第３回路のドライブ電流が互いに異なるＬＥＤ照明器具。
【請求項３】
請求項１または請求項２に記載のＬＥＤ照明器具において、
前記第１光源部は、前記第１回路基板に第１制御部を有し、
前記第２光源部は、前記第２回路基板に第２制御部を有するＬＥＤ照明器具。
【請求項４】
請求項１から請求項３までのうちのいずれか１項に記載のＬＥＤ照明器具において、
前記器具本体に支持されて前記第１光源部からの光を透過するグローブを有し、
前記第２光源部は、前記グローブを光が透過しない位置に設けられているＬＥＤ照明器具。
【請求項５】
請求項１から請求項４までのうちのいずれか１項に記載のＬＥＤ照明器具において、
前記第２ＬＥＤの光束よりも前記第３ＬＥＤの光束が高いＬＥＤ照明器具。
【発明の詳細な説明】
【技術分野】
【０００１】
本発明は、複数のＬＥＤを有する主光源および補助光源を有するＬＥＤ照明器具に関するものである。
【背景技術】
【０００２】
従来、主光源としての複数のＬＥＤを有するとともに、補助光源を有するＬＥＤ照明器具が知られている（例えば、特許文献１参照）。
図６に示すように、特許文献１に記載の照明器具（ＬＥＤ照明器具）１００では、円板状の本体１０１を有しており、本体１０１の下面には、光源部１０２が取り付けられる。
光源部１０２は、基板１０３と、この基板１０３に実装された主光源としての複数の発光素子１０４とを有する。基板１０３は、円弧状の４枚の基板１０３が全体として略サークル状に繋ぎ合わされるとともに、電気的に接続されている。複数個のサークル状の基板１０３には、周方向に沿って複数個の発光素子１０４が実装されている。
所定の基板１０３には、補助光源として常夜灯１０５が設けられている。
【先行技術文献】
【特許文献】
【０００３】
【特許文献１】特開２０１２−１６０４５５号公報（第３図）
【発明の概要】
【発明が解決しようとする課題】
【０００４】
前述した特許文献１に記載のような従来のＬＥＤ照明器具においては、補助光源である常夜灯用のＬＥＤは、主光源である光源部の発光素子と同一基板に実装されるのが一般的である。
このため、補助光源の出力を増大させると、主光源のＬＥＤが実装されている同一基板における発熱量が増大するという問題があった。
【０００５】
また、同一基板に主光源、補助光源を実装する場合、構造上、回路基板が大型化する。前述したように、主光源を円環状に配列する場合、４分割した回路基板を４枚用いるのが一般的であるため、特定の回路基板が大型化した場合、デザイン上、その他の３枚の回路基板も形状を揃えるために大型化する必要があり、全体形状が大型化するという問題もある。
特に、補助光源が複数個のＬＥＤを有する場合には、各ＬＥＤを互いに離して回路基板に実装することが考えられるが、この場合、複数の輝度点が生じるため、デザイン上の制約が生じる。
【０００６】
本発明は、従来の問題を解決するためになされたもので、補助光源による主光源の回路基板の昇温を抑えるとともに、主光源の回路基板の大型化を防止できるＬＥＤ照明器具を提供することを目的とする。
【課題を解決するための手段】
【０００７】
本発明のＬＥＤ照明器具は、器具本体と、前記器具本体に収容された電源部と、前記器具本体に収容され、第１回路基板に第１ＬＥＤが実装された第１光源部と、前記器具本体に収容され、前記第１回路基板に対して電気的に接続された第２回路基板に第２ＬＥＤおよび第３ＬＥＤが実装された第２光源部と、を備え、前記第２ＬＥＤおよび前記第３ＬＥＤはそれぞれ異なる種類であるとともに、前記第１光源部および前記第２光源部が互いに排他的に点灯可能であるものである。
【０００８】
また、本発明のＬＥＤ照明器具では、前記第１光源部は、前記第１ＬＥＤを点灯させるための第１回路を有し、前記第２光源部は、前記第２ＬＥＤを点灯させるための第２回路および前記第３ＬＥＤを点灯させるための第３回路を有し、前記第２回路のドライブ電流および前記第３回路のドライブ電流が互いに異なるものである。
【０００９】
また、本発明のＬＥＤ照明器具では、前記第１光源部は、前記第１回路基板に第１制御部を有し、前記第２光源部は、前記第２回路基板に第２制御部を有するものである。
【００１０】
また、本発明のＬＥＤ照明器具は、前記器具本体に支持されて前記第１光源部からの光を透過するグローブを有し、前記第２光源部は、前記グローブを光が透過しない位置に設けられているものである。
【００１１】
さらに、本発明のＬＥＤ照明器具では、前記第２ＬＥＤの光束よりも前記第３ＬＥＤの光束が高いものである。
【発明の効果】
【００１２】
本発明は、第１回路基板と第２回路基板を別個に設けることにより、第２光源部の第２ＬＥＤおよび第３ＬＥＤを点灯させても、第１光源部の第１回路基板の昇温を防止できるとともに、第２回路基板が大型化しても第１回路基板の大型化を防止できる。また、第１光源部および第２光源部が互いに排他的に点灯可能としたので、第１光源部を主光源とし、第２光源部を常夜灯や非常灯の補助光源とすることができる。さらに、第２ＬＥＤおよび第３ＬＥＤは異なる種類であるので、第２ＬＥＤと第３ＬＥＤの組み合わせにより、種々の配光をすることができるという効果を有するＬＥＤ照明器具を提供できる。
【図面の簡単な説明】
【００１３】
【図１】本発明に係る第１実施形態のＬＥＤ照明器具の側面図
【図２】本発明に係る第１実施形態のＬＥＤ照明器具を下方から見た底面図
【図３】第２光源部の平面図
【図４】本発明に係る第２実施形態のＬＥＤ照明器具の側面図
【図５】本発明に係る第３実施形態のＬＥＤ照明器具の側面図
【図６】従来のＬＥＤ照明器具の平面図
【発明を実施するための形態】
【００１４】
（第１実施形態）
以下、本発明に係る第１実施形態のＬＥＤ照明器具について、図面を用いて説明する。
図１に示すように、第１実施形態のＬＥＤ照明器具１０Ａは、例えば天井１１等に取り付けて、室内等を照明するのに用いることができる。
なお、以下の説明においては、天井１１に取り付けられた状態で、天井１１側を「上」とし、床（図示省略）側を「下」として説明する。
【００１５】
ＬＥＤ照明器具１０Ａは、天井１１等に取り付けられる器具本体２０と、器具本体２０の外周に沿って設けられているリング状の枠３０と、器具本体２０の下側に着脱可能に取り付けられる透光性のグローブ４０を有する。従って、枠３０は、グローブ４０の外側に位置する。
【００１６】
図１および図２に示すように、器具本体２０は、金属材料の平板から円形状に形成されており、略中央部には、天井１１に取り付けられている引掛シーリングボディ（図示省略）に取り付けるための円形の取付孔２１を有する。
器具本体２０の上面には、複数個のスポンジやゴム等の弾性部材２７が取り付けられており、器具本体２０を天井１１に取り付けた際に弾性変形して、器具本体２０がぐらつかないようにしている。
【００１７】
器具本体２０の下面２０１における取付孔２１の外側には、引掛シーリングボディを介して商用電源に接続される電源部２６が設けられている。
器具本体２０の下面２０１には、外周部寄りに主光源部である第１光源部２２が設けられている。第１光源部２２では、円周を４分割した扇形状の第１回路基板２３が、円周方向に沿って４個配置されており、全体で円周状に配置されている。
【００１８】
各第１回路基板２３の下面である実装面２３１には第１回路２４１が設けられており、複数個の第１ＬＥＤ２４が第１回路基板２３の周方向に沿って実装されている。また、各第１回路基板２３の長手方向両端部にはコネクタ２５が各々取り付けられており、隣接する第１回路基板２３同士を電気的に接続している。なお、いずれかの第１回路基板２３は電源部２６と電気的に接続されており、コネクタ２５を介して各第１回路基板２３に点灯電力を供給している。
各第１回路基板２３には、第１制御部２８が取り付けられている。第１制御部２８は、コネクタ２５を介して供給される点灯電力を制御して、第１ＬＥＤ２４の点灯を制御する。
【００１９】
枠３０は、器具本体２０の外周に取り付けられている円形リング状の部材であり、下面３０１はグローブ４０の外側において下方に露出している。
枠３０の下面３０１には、補助光源である第２光源部３１が下向きに取り付けられており、器具本体２０に取り付けられている第１光源部２２の第１回路基板２３と、ハーネス３６により電気的に接続されている。
すなわち、第２光源部３１は、グローブ４０の外側に配置されており、グローブ４０を透過することなく、直接下方に光を照射する。
なお、第２光源部３１は、第１光源部２２と排他的に点灯するように制御されており、第１光源部２２が消灯しているときのみ点灯可能となっている。
【００２０】
図３に示すように、第２光源部３１は、いずれかの第１回路基板２３と、ハーネス３６で電気的に接続された第２回路基板３２を有する。
第２回路基板３２には、複数個の第２ＬＥＤ３３および第３ＬＥＤ３４が実装されている。第２回路基板３２には、第２ＬＥＤ３３を点灯させるための第２回路３３１および第３ＬＥＤ３４を点灯させるための第３回路３４１が設けられている。第２回路３３１のドライブ電流と、第３回路３４１のドライブ電流は、互いに異なる。例えば、空間認識しやすい色温度の高いほうのＬＥＤを高い電流でドライブする。
【００２１】
第２ＬＥＤ３３と第３ＬＥＤ３４とは異なる種類のものを用いることができ、第３ＬＥＤ３４には、第２ＬＥＤ３３の光束よりも高い光束を有するものを用いることができる。
ここでは、例えば非常灯として２個の第２ＬＥＤ３３が実装され、常夜灯として第２ＬＥＤ３３よりも明るい１個の第３ＬＥＤ３４が実装されている。
第２回路基板３２には、第２制御部３５が取り付けられており、第２ＬＥＤ３３および第３ＬＥＤ３４の点灯を制御する。
【００２２】
なお、異なる種類のＬＥＤとは、例えば、色度座標の異なるＳＭＤ（Surface Mount Device）、もしくは、複数の光色回路が構成されたＣＯＢ（Chip On Board）単体をさす。
異なる色度座標とは、2700Ｋと6500Ｋ、青色と赤色と緑色、2000Ｋと8000Ｋ等、黒体軌跡上の色温度の組み合わせや色光の組み合わせや、黒体軌跡からはずれた青っぽい白色や赤みの強い白色、電球色が考えられる。
【００２３】
従って、通常の照明時に使用される第１光源部２２は、天井１１の内部を配線された商用電源から電源部２６に電力が供給されて点灯する。第１光源部２２は、電源部２６から第１回路基板２３に電力が供給されて、第１制御部２８の制御により、第１ＬＥＤ２４を点灯させる。
例えば、複数の第１ＬＥＤ２４のうちの所望の個数を点灯させることにより、明るさを調整することができる。また、第１ＬＥＤ２４に色が異なるＬＥＤを混在させている場合には、所望の色のＬＥＤのみを点灯させることにより、所望の色の照明光を照射することができる。
このとき、第２光源部３１は、点灯しない。
【００２４】
一方、第１光源部２２が消灯しているときは、第２光源部３１が点灯可能となっている。第２光源部３１は、例えば、商用電源により充電されているバッテリやコンデンサ等の電源から、第２回路基板３２に電力が供給される。
第２回路基板３２に設けられている第２制御部３５は、第２回路３３１に電力を供給して第２ＬＥＤ３３を点灯させる。また、第２制御部３５は、第３回路３４１に電力を供給して第３ＬＥＤ３４を点灯させる。
【００２５】
補助光源である第２光源部３１は、グローブ４０の外側に設けられているので、第２ＬＥＤ３３および第３ＬＥＤ３４の光は、グローブ４０を透過することなく、直接下方に照射される。
このため、例えば非常時に、非常灯である第２ＬＥＤ３３により出入り口等を照明したいような白色で指向性の高い光が必要な場合に適する。
また、非常灯である第２ＬＥＤ３３と常夜灯である第３ＬＥＤ３４は、別個に制御され、別個に点灯したり、同時に点灯させることができる。
なお、第１光源部２２と第２光源部３１とを同時に点灯させることはできない。
【００２６】
次に、ＬＥＤ照明器具１０Ａの作用効果について説明する。
電源部２６を収容する器具本体２０には、第１光源部２２および第２光源部３１が設けられている。第１光源部２２では、第１回路基板２３に第１ＬＥＤ２４が実装されている。第２光源部３１では、第１回路基板２３に対して電気的に接続された第２回路基板３２に、第２ＬＥＤ３３および第３ＬＥＤ３４が実装されている。
これにより、第１回路基板２３と第２回路基板３２を別個に設けたので、第２光源部３１の第２ＬＥＤ３３および第３ＬＥＤ３４を点灯させても、第１光源部２２の第１回路基板２３の昇温を防止できる。
【００２７】
また、第１回路基板２３と第２回路基板３２を別個に設けたので、第２回路基板３２が大型化しても、第１回路基板２３には影響しないため、第１回路基板２３の大型化を防止できる。
そして、第１光源部２２および第２光源部３１が互いに排他的に点灯可能としたので、第１光源部２２を主光源とし、第２光源部３１を常夜灯や非常灯の補助光源とすることができる。
また、第２ＬＥＤ３３と第３ＬＥＤ３４とは異なる種類であるので、第２ＬＥＤ３３と第３ＬＥＤ３４の組み合わせにより、種々の配光制御をすることができる。
【００２８】
また、第１光源部２２では、第１ＬＥＤ２４を点灯させるための第１回路２４１を電源部２６を介して商用電源に接続する。第２光源部３１では、第２ＬＥＤ３３を点灯させるための第２回路３３１および第３ＬＥＤ３４を点灯させるための第３回路３４１を、バッテリ等の別の電源に接続することができる。
また、第２回路３３１のドライブ電流と第３回路３４１のドライブ電流が互いに異なるので、光色を使い分けたり、任意の明るさに設定することができる。
【００２９】
また、第１光源部２２は、第１回路基板２３に設けられた第１制御部２８により制御され、第２光源部３１は、第２回路基板３２に設けられた第２制御部３５により制御される。
これにより、第２ＬＥＤ３３および第３ＬＥＤ３４を制御して、種々の配光制御を行うことができる。
【００３０】
また、第１光源部２２からの光は、器具本体２０に支持されているグローブ４０を透過して照射される。
一方、第２光源部３１は、第２光源部３１が発した光が、グローブ４０を透過しないような位置に設けられている。
このため、第２光源部３１からの光が、グローブ４０を透過することにより暗くなるのを回避することができる。
【００３１】
さらに、第２光源部３１では、第２ＬＥＤ３３の光束よりも第３ＬＥＤ３４の光束が高いので、異なる光束の光を組み合わせることにより、明るさを変えることができる。
【００３２】
（第２実施形態）
次に、第２実施形態のＬＥＤ照明器具について説明する。
なお、前述した第１実施形態のＬＥＤ照明器具１０Ａと共通する部位には同じ符号を付して、重複する説明を省略することとする。
図４に示すように、第２実施形態のＬＥＤ照明器具１０Ｂでは、第２光源部３１が枠３０の上面３０２に、上向きに取り付けられている。
【００３３】
このため、第２光源部３１の第２ＬＥＤ３３および第３ＬＥＤ３４から発せられた光は、上方に向かって照射され、天井１１に当たって反射して下方を間接照明する。
これにより、柔らかな光で照明することができる。
なお、第２光源部３１は、ハーネス３６によって第１回路基板２３と接続されているので、容易に第２光源部３１の向きや配置を変えて取り付けることができ、したがって、ランプデザインの自由度を向上することができる。
【００３４】
（第３実施形態）
次に、第３実施形態のＬＥＤ照明器具について説明する。
なお、前述した第１実施形態のＬＥＤ照明器具１０Ａまたは第２実施形態のＬＥＤ照明器具１０Ｂと共通する部位には同じ符号を付して、重複する説明を省略することとする。
図５に示すように、第３実施形態のＬＥＤ照明器具１０Ｃでは、第２光源部３１が、枠３０に、外向きに取り付けられている。
【００３５】
このため、第２光源部３１の第２ＬＥＤ３３および第３ＬＥＤ３４から発せられた光は、側方に向かって照射され、天井１１や壁（図示省略）に当たり、反射して室内を間接照明する。
これにより、柔らかな光で照明することができる。また、非常口等の特定の照明対象に、直接光を照射することができる。
なお、第２光源部３１は、ハーネス３６によって第１回路基板２３と接続されているので、容易に第２光源部３１の向きを変えて取り付けることができる。
【００３６】
本発明のＬＥＤ照明器具は、前述した各実施形態に限定されるものでなく、適宜な変形、改良等が可能である。
例えば、前述した各実施形態において、第１光源部、第２光源部について言及したが、第３光源部、第４光源部を備えたＬＥＤ照明器具についても本発明に含まれる。
また、本発明は、天井に取り付けられるシーリング照明器具以外にも、例えば壁付け照明器具等も本発明に含まれる。
【符号の説明】
【００３７】
１０Ａ、１０Ｂ、１０Ｃ  ＬＥＤ照明器具
２０  器具本体
２２  第１光源部
２３  第１回路基板
２４  第１ＬＥＤ
２４１  第１回路
２６  電源部
２８  第１制御部
３１  第２光源部
３２  第２回路基板
３３  第２ＬＥＤ
３３１  第２回路
３４  第３ＬＥＤ
３４１  第３回路
３５  第２制御部
４０  グローブ
【図１】
2015135756.tif 000003
【図２】
2015135756.tif 000004
【図３】
2015135756.tif 000005
【図４】
2015135756.tif 000006
【図５】
2015135756.tif 000007
【図６】
2015135756.tif 000008